【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
方法を実施するコンピュータ実行可能命令が符号化されたコンピュータ読取可能な記録媒体であって、前記方法は、
第１の無線コンピューティングデバイスから直接インフラストラクチャネットワークに接続を試みるステップを備え、
前記インフラストラクチャネットワークへの直接接続に失敗したことに応えて動作を実施し、前記動作は、
複数のチャネル上で無線トラフィックを監視するため、前記第１の無線コンピューティングデバイス上でプロミスキャスモードをイネーブルするステップと、
前記第２の無線コンピューティングデバイスのトラフィックパケットを検査し、前記第２の無線コンピューティングデバイスが前記インフラストラクチャネットワークに接続されていることを確認するステップと、
前記第２の無線コンピューティングデバイスに対応するチャネル上で新たな無線ネットワークを作成するステップと、
前記新たな無線ネットワーク上で遭難信号をブロードキャストするステップと、
前記第２の無線コンピューティングデバイスからアクノレッジを受信したことに応答して前記遭難信号を終了するステップと、
前記第２の無線コンピューティングデバイスによる接続のために、アドホック無線ネットワークを開始するステップと、
前記第１の無線コンピューティングデバイスから前記インフラストラクチャネットワークへ前記アドホック無線ネットワークを介して情報を送信するステップと
を含むことを特徴とするコンピュータ可読媒体。
【請求項２】
前記方法は、前記アドホック無線ネットワークを開始するステップの前に、前記第２の無線コンピューティングデバイスにアクノレッジを伝送する動作をさらに含むことを特徴とする請求項１のコンピュータ可読媒体。
【請求項３】
前記方法は、前記インフラストラクチャネットワークに対して認証されるために、前記第２の無線コンピューティングデバイスに認証情報を送信する動作をさらに含むことを特徴とする請求項１のコンピュータ可読媒体。
【請求項４】
前記方法は、前記第２の無線コンピューティングデバイスを介して前記インフラストラクチャネットワークに診断メッセージを送信する動作をさらに含むことを特徴とする請求項１のコンピュータ可読媒体。
【請求項５】
前記作成するステップは、前記第１の無線コンピューティングデバイスがアドホックネットワークを開始するようにさせるか、または無線アクセスポイントとして動作するようにさせるステップを含み、前記遭難信号は既知の無線プロトコルに準拠するビーコンを含むことを特徴とする請求項１のコンピュータ可読媒体。
【請求項６】
前記ビーコンは乱数を含むことを特徴とする請求項５のコンピュータ可読媒体。
【請求項７】
前記遭難信号は、公開プロトコルまたは独占プロトコルに準拠して構成されたブロードキャストパケットを含むことを特徴とする請求項１のコンピュータ可読媒体。
【請求項８】
第１の無線コンピューティングデバイスとインフラストラクチャネットワークとの間の前記インフラストラクチャネットワークに接続された第２の無線コンピューティングデバイスを介した通信を円滑にするための方法を実施するためのコンピュータ実行可能命令が符号化されたコンピュータ読取可能な記録媒体であって、前記方法は、
前記第１の無線コンピューティングデバイスから遭難信号を前記第２の無線コンピューティングデバイスで受信するステップと、
前記遭難信号のアクノレッジを前記第２の無線コンピューティングデバイスから前記第１のコンピューティングデバイスに送信するステップと、
前記アクノレッジに対する応答を前記第１の無線コンピューティングデバイスから前記第２の無線コンピューティングデバイスで受信するステップと、
前記第２の無線コンピューティングデバイスを前記第１の無線コンピューティングデバイスによって開始されたアドホックネットワークに参加させて、前記第２の無線コンピューティングデバイスが前記アドホックネットワークと前記インフラストラクチャネットワークの両方に実質的に同時に接続されるようにするステップと、
前記第１の無線コンピューティングデバイスから前記アドホックネットワークを介して情報を受信するステップと、
前記受信した情報を前記インフラストラクチャネットワークへ送信するステップと
を含むことを特徴とするコンピュータ可読媒体。
【請求項９】
前記第２の無線コンピューティングデバイスは、マルチネットモードを介して前記アドホックネットワークに参加することを特徴とする請求項８のコンピュータ可読媒体。
【請求項１０】
前記方法は、前記第２の無線デバイスに、前記応答を受信した結果、前記マルチネットモードに入らせるステップをさらに含むことを特徴とする請求項９のコンピュータ可読媒体。
【請求項１１】
前記第２の無線コンピューティングデバイスは２つ以上の無線アダプタを含み、前記第２の無線コンピューティングデバイスは、１つの無線アダプタを介して前記インフラストラクチャネットワークに接続され、別の無線アダプタを介して前記第１の無線コンピューティングデバイスに接続されることを特徴とする請求項８のコンピュータ可読媒体。
【請求項１２】
前記方法は、前記インフラストラクチャネットワークから切断された無線コンピューティングデバイスからの遭難信号を探して、定期的にスキャンを行うステップをさらに含むことを特徴とする請求項８のコンピュータ可読媒体。
【請求項１３】
前記遭難信号はネットワーク識別ラベルを含み、前記アクノレッジは、該識別ラベルとは異なるネットワーク識別ラベルを含むことを特徴とする請求項８のコンピュータ可読媒体。
【請求項１４】
前記アクノレッジは８０２．１１プローブ要求であることを特徴とする請求項８のコンピュータ可読媒体。
【請求項１５】
前記方法は、
前記第１の無線コンピューティングデバイスから認証情報を受信するステップと、
前記認証情報を前記インフラストラクチャネットワークに伝送するステップと
をさらに含むことを特徴とする請求項８のコンピュータ可読媒体。
【請求項１６】
前記方法は、
前記第１の無線コンピューティングデバイスに関する資格情報を前記インフラストラクチャネットワークから受信するステップと、
前記資格情報を前記第１の無線コンピューティングデバイスに伝送するステップと
をさらに含むことを特徴とする請求項１５のコンピュータ可読媒体。
【請求項１７】
伝送される前記資格情報は、前記第１の無線コンピューティングデバイスが前記インフラストラクチャネットワークに直接に無線接続することを可能にすることを特徴とする請求項１６のコンピュータ可読媒体。
【請求項１８】
前記方法は、
前記第１の無線コンピューティングデバイスから診断メッセージを受信するステップと、
前記第２の無線コンピューティングデバイスを介して前記診断メッセージを前記インフラストラクチャネットワークに伝送するステップと
をさらに含むことを特徴とする請求項８のコンピュータ可読媒体。
【請求項１９】
マルチネットモードにおける、前記インフラストラクチャネットワークへの前記接続、および前記アドホックネットワークへの前記接続に対する時間割り当ては、構成可能な設定を介して制御されることを特徴とする請求項９のコンピュータ可読媒体。
【請求項２０】
前記方法は、
前記応答を受信した後、前記第１のコンピューティングデバイスから前記遭難信号を受信し続けるステップと、
前記第１のコンピューティングデバイスをローグデバイスとして識別するステップと
をさらに含むことを特徴とする請求項８のコンピュータ可読媒体。
【請求項２１】
切断された無線コンピューティングデバイスが、無線接続された無線コンピューティングデバイスを介してインフラストラクチャネットワークと通信することを可能にするためのシステムであって、
前記無線接続された無線コンピューティングデバイスのプレゼンスを検出し、遭難信号が送信されるようにし、前記切断された無線コンピューティングデバイス上でアドホック無線ネットワークを作成し、診断情報を前記接続された無線コンピューティングデバイスに前記アドホック無線ネットワークを介して送信するプログラムであって、前記切断された無線コンピューティングデバイス上で実行される第１の診断クライアントプログラムと、
前記遭難信号を受信し、前記切断された無線コンピューティングデバイス上の前記アドホック無線ネットワークに接続することを、前記インフラストラクチャネットワークへの実質的に同時の接続を維持しながら行い、前記診断情報を前記切断された無線コンピューティングデバイスで実行する前記第１の診断クライアントプログラムから受信し、前記診断情報を前記インフラストラクチャネットワークへ送信するプログラムであって、前記無線接続された無線コンピューティングデバイス上で実行される第２の診断クライアントプログラムと
を含むことを特徴とするシステム。
【請求項２２】
前記第２の診断クライアントプログラムは、マルチネットモードに入った後、前記アドホックネットワークに接続することを特徴とする請求項２１のシステム。
【請求項２３】
前記インフラストラクチャネットワーク上のネットワークサーバ上で実行される診断サーバプログラムをさらに含み、該プログラムが、前記無線接続された無線コンピューティングデバイス上で実行される前記第２の診断クライアントプログラムによって、前記切断された無線コンピューティングデバイスに代行して送信される認証情報を受信することを特徴とする請求項２１のシステム。
【請求項２４】
前記診断サーバプログラムは、前記切断された無線コンピューティングデバイスの認証を円滑にし、前記接続されたコンピューティングデバイス上で実行される前記第２の診断クライアントプログラムを介して、前記切断された無線コンピューティングデバイスに関する資格情報を伝送することを特徴とする請求項２１のシステム。
【請求項２５】
前記第２の診断クライアントプログラムは、前記第１の診断プログラムから診断情報を受信し、該診断情報を前記診断サーバプログラムに転送することを特徴とする請求項２１のシステム。